(57)【要約】【課題】停電の有無に拘らず地震時には光源を点灯させる照明器具を提供する。【解決手段】ＬＥＤ光源１１と、電源２から前記光源１１へ電力を供給する電力供給線１７と、電源からの電力を蓄電するとともに前記光源へ当該蓄電された電力を供給する二次電池２１と、地震の震度を感知する地震センサ１３と、前記電力供給線に直列に設けられ、前記地震センサにより感知した震度が所定値以上の場合にＯＮする入切スイッチ１２と、ＧＰＳ端末２６と、安全地域への避難経路地図を含む災害情報を受信する受信部２５と、前記災害情報を表示するディスプレイ２８と、を備える。【選択図】  図１
0003177086.tif 000002
【実用新案登録請求の範囲】
【請求項１】
光源と、
電源から前記光源へ電力を供給する電力供給線と、
地震の震度を感知する地震センサと、
前記電力供給線に直列に設けられ、前記地震センサにより感知した震度が所定値以上の場合にＯＮする入切スイッチと、
前記電源からの電力を蓄電するとともに前記光源へ当該蓄電された電力を供給する二次電池と、
前記電源からの電力を調整して前記光源又は前記二次電池へ供給する電力調整回路と、
ＧＰＳ端末と、
安全地域への避難経路地図を含む災害情報を受信する受信部と、
前記災害情報を表示するディスプレイと、
前記光源、前記地震センサ、前記入切スイッチ、前記二次電池、前記電力調整回路、前記ＧＰＳ端末、前記受信部及び前記ディスプレイを収納する筐体と、を備える照明器具。
【請求項２】
前記入切スイッチは、少なくとも震度が４以上の場合にＯＮする請求項１に記載の照明器具。
【請求項３】
前記電力供給線の照明器具側の端子は、着脱可能に形成されている請求項１又は２に記載の照明器具。
【請求項４】
前記電力調整回路は、前記光源の明るさを調整する調光回路を含み、
前記筐体に、前記調光回路による前記光源の明るさを調整する調光スイッチが設けられている請求項１〜３のいずれか一項に記載の照明器具。
【請求項５】
前記光源がＬＥＤである請求項１〜４のいずれか一項に記載の照明器具。
【請求項６】
前記入切スイッチに対して並列に手動入切スイッチが設けられている請求項１〜５のいずれか一項に記載の照明器具。
【考案の詳細な説明】
【技術分野】
【０００１】
本考案は、停電の有無に拘らず地震を感知して点灯する照明器具に関するものである。
【背景技術】
【０００２】
地震等で停電しても、避難する際の誘導灯として非常灯を点灯させる照明器具が提案されている（特許文献１）。しかしながら、この種の照明器具は停電しない限り非常灯が点灯しない回路構成とされているので、停電しない地震時には照明器具のスイッチを入れる操作が必要となり、逃げ遅れたりするという問題がある。
【先行技術文献】
【特許文献】
【０００３】
【特許文献１】特開２００９−２７２１３５号公報
【考案の概要】
【考案が解決しようとする課題】
【０００４】
本考案が解決しようとする課題は、停電の有無に拘らず地震時には光源を点灯させるとともに安全地域への避難経路を表示する携帯可能な照明器具を提供することである。
【課題を解決するための手段】
【０００５】
本考案は、所定値以上の震度を感知したら光源のスイッチを自動入力する回路と、二次電池と、安全地域への避難経路を表示する手段と、を備えることにより、上記課題を解決する。
【考案の効果】
【０００６】
本考案によれば、停電の有無に拘らず、所定値以上の震度を感知したら光源のスイッチが自動入力し、これにより光源が点灯するので、停電しない地震が発生しても暗所を自動的に照明することができ、照明器具のスイッチを入力する操作が不要となる。また、二次電池を備えて携帯可能であるため、屋内のあらゆる場所や屋外にも持ち出すことができる。その結果、暗所で衝突して怪我をしたり逃げ遅れたりすることがなくなり、安全に避難することができる。さらに、安全地域への避難経路を表示するディスプレイを備えているので、屋外へ出てからも安全地域へ短時間で避難することができる。
【図面の簡単な説明】
【０００７】
【図１】本考案の一実施の形態に係る照明器具を示す電気回路図である。
【考案を実施するための形態】
【０００８】
本考案に係る照明器具１は、家屋内外に設けられ、地震災害時に非常用照明として機能する照明器具あり、当該照明器具１の筐体１Ａには、商用交流電源２の交流電力を直流電力に変換するＡＣ／ＤＣ変換回路２０と、変換された直流電力を蓄電するバッテリ２１と、変換された直流電力を再び交流電力に変換するＤＣ／ＡＣ変換回路１９と、変換された交流電力を整流する波形整形回路１８と、交流電力を整流して直流電力に変換する整流回路１７と、整流された直流電力をＬＥＤ光源の定格電圧に降圧する降圧回路１６と、降圧された定格電圧を所望の電圧に調整して光源１１の明るさを調整する調光回路１５と、手動入切スイッチ１４と、地震の震度を感知する地震センサ１３と、手動入切スイッチ１４に並列に設けられた入切スイッチ１２と、ＬＥＤ光源１１と、が収納されている。
【０００９】
また、電力供給線２２の端子２３は、照明器具１のＡＣ／ＤＣ変換回路２０の端子に対して、たとえばマグネット式コネクタなどにより着脱可能に接続され、電力供給線２２の端子２４は、一般的なコンセント端子により商用交流電源２に接続され、これにより商用交流電源２からＬＥＤ光源１１へ電力を供給するとともにバッテリ２１を蓄電する。
【００１０】
なお、波形整形回路１８は、変圧器やフィルタ回路などで構成されている。そして、商用電源２が停電した場合にはバッテリ２１がＤＣ／ＡＣ変換回路１９の電力供給源となり、停電しない場合には商用電源２がＤＣ／ＡＣ変換回路１９及びバッテリ２１の電力供給源となる。
【００１１】
本例の照明器具１は、非停電時には商用交流電源２から供給される交流電力が電力供給線２２を介して光源１１に供給され、停電時にはバッテリ２１から供給される直流電力が光源１１に供給される。そして、手動入切スイッチ１４をＯＮすることでＬＥＤ光源１１が点灯し、手動入切スイッチ１４をＯＦＦすることでＬＥＤ光源１１が消灯する。
【００１２】
特に本例の照明器具１は、地震の震度を感知する地震センサ１３と、手動入切スイッチ１４に並列に設けられた入切スイッチ１２を備える。地震センサ１３は、機械式又は電気式のいずれも採用することができる。電気式地震センサを採用する場合には、停電時においても当該地震センサにも電力が供給されるように回路構成する必要があるが、本例の照明器具１はバッテリ２１を内蔵しているので、機械式地震センサに限定されず電気式地震センサを用いることができる。
【００１３】
本例の入切スイッチ１２は、地震センサ１３により感知した震度が、たとえば震度４以上の場合にＯＮするように構成されている。この機構は機械式で構成することが望ましいが、本例の照明器具１は停電時においても電力が供給される回路構成となっているので電気式機構で構成してもよい。
【００１４】
また本例の照明器具１は、降圧回路１６によって定格電圧に降圧された直流電力を、ユーザにより調光スイッチ１５Ａの操作に応じて調圧して光源１１の明るさを調整する調光回路１５を備える。たとえば停電時において、ユーザは、光スイッチ１５Ａを所望に操作することでバッテリ２１を延命させることができる。
【００１５】
なお、本考案の光源１１はＬＥＤ光源にのみ限定されず、交流電力で作動する白熱灯や蛍光灯も適用することができる。交流電力の光源を用いる場合は、整流回路１５及び降圧回路１６を省略することもできる。さらに、ＬＥＤ光源などは直流電力により動作するので、図１に示すＤＣ／ＡＣ変換回路１９、波形整形回路１８及び整流回路１７を省略し、ＡＣ／ＤＣ変換回路２０により変換された直流電力を直接降圧回路１６にて降圧してもよい。
【００１６】
さらに本例の照明器具１は、筐体１Ａ内に、ＧＰＳ端末２６と、安全地域への避難経路地図を含む災害情報を受信する受信部２５と、この災害情報を表示するディスプレイ２８と、これら通信回路２５、ＧＰＳ端末２６及びディスプレイ２８の制御を実行する制御回路２７とが収納されている。なお、ディスプレイ２８は、筐体１Ａの外面から視認できる位置に取り付けられている。
【００１７】
通信回路２５は、たとえばブロードキャスト通信を行う放送局又は基地局からの情報を受信する回路であって、放送局又は基地局からは、安全地域への避難経路を含む災害情報が配信される。
【００１８】
ＧＰＳ端末２６は、磁気方位コンパスであって、当該照明器具１の方位（緯度及び経度）を特定する。なお、本例の照明器具１が特定の場所、たとえば自宅、特定の旅館等に設置される場合は、ＧＰＳ端末２６に代えてその特定場所の方位を記録したメモリであってもよい。
【００１９】
ディスプレイ２８はたとえば液晶ディスプレイであり、通信回路２５によって受信した安全地域への避難経路を含む災害情報を表示する。
【００２０】
制御回路２７は、ＧＰＳ端末２６及びディスプレイ２８の制御を実行し、地震が発生した際に以下の処理を実行する。すなわち、震度４以上の地震が発生すると上述したとおり、停電の有無に拘らずＬＥＤ光源１１が点灯し、夜間などにおいては自分の廻りを照明するが、これと同時に通信回路２５によって安全地域への避難経路を含む災害情報を受信し、ＧＰＳ端末２６からの現在位置に基づいて、当該現在位置から安全地域へ至る避難経路をディスプレイ２８に表示する。
【００２１】
以上のように、本例の照明器具１によれば、震度が所定以上、たとえば震度４を感知すると、停電の有無に拘らず自動的に光源１１が点灯するので、非停電時において照明器具１の手動入切スイッチ１４をＯＮする操作が不要となる。その結果、暗所で衝突して怪我をしたり逃げ遅れたりすることがなくなり、安全に避難することができる。
【００２２】
また、停電時には筐体１Ａに内蔵されたバッテリ２１からＬＥＤ光源１１へ電力が供給されるので、地震が発生して停電になっても光源１１が自動的に点灯する。このとき、本例の照明器具１は、ＬＥＤ光源１１を用いているので、停電時には長時間の照明が可能となり、暗所において必要な家財道具等を持ち出すことができる。さらに、本例の照明器具１は、調光回路１５及び調光スイッチ１５Ａを備えているので、停電時には光源１１の明るさを必要最低限にすることでバッテリ２１を延命させることができ、長時間の避難にも耐えることができる。
【００２３】
また、本例の照明器具１は、必要とされる構成部品が筐体１Ａ内に収納され、電力供給線２２が照明器具１側の端子部分で着脱可能に構成されているので、照明器具１を電源２及び電力供給線２２から取り外し、携帯することができる。その結果、照明器具１を屋外や、屋内であっても設置個所から離れた部屋などに持ち出すことができる。
【００２４】
さらに本例の照明器具１は、現在位置から安全地域へ至る避難経路をディスプレイ２８に表示するので、避難者はこのディスプレイ２８を見ながら、しかも避難経路を照明しながら避難することができるので、迅速かつ安全に避難することができる。
【００２５】
また、光源１１、電力供給線１７の一部、整流回路１５、降圧回路１６及び地震センサ１３を筐体１８に収納しているので、既存の照明器具に代替が容易となり、さらに既存の照明器具に並べて配置することも容易となる。
【符号の説明】
【００２６】
１…照明器具
１Ａ…筐体
１１…ＬＥＤ光源
１２…入切スイッチ
１３…地震センサ
１４…手動入切スイッチ
１５…調光回路
１５Ａ…調光スイッチ
１６…降圧回路
１７…整流回路
１８…波形整形回路
１９…ＤＣ／ＡＣ変換回路
２０…ＡＣ／ＤＣ変換回路
２１…バッテリ
２２…電力供給線
２３…電力供給線の照明器具側端子
２４…電力供給線の電源側端子
２５…通信回路
２６…ＧＰＳ端末
２７…制御回路
２８…ディスプレイ
２…商用交流電源
【図１】
0003177086.tif 000003